(57)【要約】【課題】実際の昇降路に適した寸法のたて枠を容易に作製し得るエレベーターの釣合おもり枠を提案する。【解決手段】たて枠上部と、たて枠下部とが分離可能なエレベーターの釣合おもり枠において、エレベーターの釣合おもり枠に積載されるおもりは、端部が突出して形成されており、たて枠上部及びたて枠下部は、おもりの端部を遊嵌し、たて枠上部の内周側は、凹部形状を有しており、たて枠下部の外周側は、凸部形状を有しており、たて枠上部の凹部形状は、たて枠下部の凸部形状とスライド可能に係合し、たて枠上部を軸方向にガイドし、たて枠上部とたて枠下部とが係合する部分には固定穴が形成されていることを特徴とする。【選択図】図１
2018030675.tif 000002
【特許請求の範囲】
【請求項１】
たて枠上部と、たて枠下部とが分離可能なエレベーターの釣合おもり枠において、
前記エレベーターの釣合おもり枠に積載されるおもりは、端部が突出して形成されており、
前記たて枠上部及び前記たて枠下部は、前記おもりの端部を遊嵌し、
前記たて枠上部の内周側は、凹部形状を有しており、
前記たて枠下部の外周側は、凸部形状を有しており、
前記たて枠上部の凹部形状は、前記たて枠下部の凸部形状とスライド可能に係合し、前記たて枠上部を軸方向にガイドし、
前記たて枠上部と前記たて枠下部とが係合する部分には固定穴が形成されている
ことを特徴とするエレベーターの釣合おもり枠。
【請求項２】
前記エレベーターの釣合おもり枠は、
前記おもりを固定するためのおもり用ボルトを備える
ことを特徴とする請求項１に記載のエレベーターの釣合おもり枠。
【請求項３】
前記エレベーターの釣合おもり枠は、
前記おもりを貫通し、前記たて枠上部が軸方向のスライド移動をした際の前記エレベーターの釣合おもり枠の垂直方向の長さに適合する連結棒を備え、
前記たて枠上部及び前記たて枠下部は、
前記連結棒を前記たて枠上部及び前記たて枠下部に固定させるための連結金具を備える
ことを特徴とする請求項１に記載のエレベーターの釣合おもり枠。
【発明の詳細な説明】
【技術分野】
【０００１】
本発明は、エレベーターの釣合おもり枠に関し、特にエレベーターの釣合おもり枠のたて枠を上たて枠と下たて枠とに分離可能なエレベーターの釣合おもり枠に適用して好適なものである。
【背景技術】
【０００２】
特許文献１には、エレベーターの釣合おもり枠のたて枠を上たて枠と、下たて枠とに分離した状態で据付現場に運搬可能なエレベーターの釣合おもり枠が開示されている。具体的には、上たて枠と下たて枠とを連結するつなぎ板と、上たて枠又は下たて枠のうちの何れか一方に固定されるブロックとを備えるエレベーターの釣合おもり枠が開示されている。このエレベーターの釣合おもり枠によれば、ブロックにより予め調整された位置で上たて枠と、下たて枠とを接続させることができる。これにより高精度な組み立て作業を容易に行うことができるとしている。
【先行技術文献】
【特許文献】
【０００３】
【特許文献１】特開２００７−３３１８７７号公報
【発明の概要】
【発明が解決しようとする課題】
【０００４】
ところで通常、エレベーターの釣合おもり枠のたて枠の高さは建物の計画段階で決定される。一方で昇降路の寸法は、計画通りに確保されない場合がある。よってこの場合、エレベーターの釣合おもり枠のたて枠の高さを実際の昇降路の寸法に合わせて再度作製し直す必要が生じるという問題があった。
【０００５】
特許文献１に記載のエレベーターの釣合おもり枠においても同様の課題がある。すなわちたて枠の高さ寸法をブロックにより予め高精度に調整していたとしても、実際の昇降路の寸法が当初予定していた寸法とは異なる場合、たて枠を再度調整して作製し直す必要が生じるという問題があった。
【０００６】
本発明は以上の点を考慮してなされたもので、実際の昇降路に適した寸法のたて枠を容易に作製し得るエレベーターの釣合おもり枠を提案しようとするものである。
【課題を解決するための手段】
【０００７】
かかる課題を解決するため本発明においては、たて枠上部と、たて枠下部とが分離可能なエレベーターの釣合おもり枠において、エレベーターの釣合おもり枠に積載されるおもりは、端部が突出して形成されており、たて枠上部及びたて枠下部は、おもりの端部を遊嵌し、たて枠上部の内周側は、凹部形状を有しており、たて枠下部の外周側は、凸部形状を有しており、たて枠上部の凹部形状は、たて枠下部の凸部形状とスライド可能に係合し、たて枠上部を軸方向にガイドし、たて枠上部とたて枠下部とが係合する部分には固定穴が形成されていることを特徴とする。
【発明の効果】
【０００８】
本発明によれば、実際の昇降路に適した寸法のたて枠を容易に作製することができる。
【図面の簡単な説明】
【０００９】
【図１】エレベーターの釣合おもり枠の正面図である。
【図２】エレベーターの釣合おもり枠の側面図である。
【図３】図１のＡ−Ａ線に沿う断面図である。
【図４】他のエレベーターの釣合おもり枠の正面図である。
【図５】他のエレベーターの釣合おもり枠の側面図である。
【発明を実施するための形態】
【００１０】
（１）本実施の形態
図１は、エレベーターの釣合おもり枠１の全体構成を示す。エレベーターの釣合おもり枠１は、上枠２と、たて枠上部３と、たて枠下部４と、下枠５と、中間つなぎ６と、連結ボルト７とガイド装置９とから構成される。
【００１１】
エレベーターの釣合おもり枠１は、このエレベーターの釣合おもり枠１内に着脱可能な複数枚のおもり８を積載し、図示しないエレベーターの釣合おもり枠用ガイドレールに沿って上下に移動する部材である。たて枠上部３及びたて枠下部４には、スライド機構１０が設けられている。そして、据付時には、たて枠上部３を図１に示す矢印Ｘの方向にスライドさせ、たて枠上部３とたて枠下部４とを連結ボルト７で固定することにより実際の昇降路寸法に合わせてエレベーターの釣合おもり枠１を構成する。
【００１２】
中間つなぎ６は、たて枠上部３及びたて枠下部４が撓まないように固定する耐震用の部材である。ガイド装置９は、エレベーターの釣合おもり枠１の両脇にある図示しないガイドレールを掴みながらガイドレールに沿ってエレベーターの釣合おもり枠１を上下動させるための装置である。おもり用ボルト１１は、エレベーターの釣合おもり枠１内に積載したおもり８が外れないように固定するための耐震用の部材である。
【００１３】
図２は、エレベーターの釣合おもり枠１の側面図を示す。図２に示すように、たて枠上部３及びたて枠下部４の係合部分には、スライド用の固定穴２０が形成されている。そして、たて枠上部３をスライドさせ、位置を決定した後、スライド用の固定穴２０を連結ボルト７で固定することでたて枠上部３及びたて枠下部４を固定する。
【００１４】
図３は、図１のＡ−Ａ線に沿う断面図を示す。スライド機構１０は、たて枠上部３を図１に示す矢印Ｘ方向（軸方向）にスライド可能にガイドするように形成されており、例えば、たて枠上部３の内周面は、凹部形状が形成している。そして、たて枠下部４の外周面は、凸部形状を形成しており、たて枠上部３の凹部形状とたて枠下部４の凸部形状とが係合してたて枠上部３を軸方向にスライド可能にガイドするように形成されている。
【００１５】
このようなスライド機構１０を設けることによって、例えば昇降路寸法が大きい場合は、たて枠上部３をスライドさせることでエレベーターの釣合おもり枠１の縦方向の長さを大きくすることができる。これにより、エレベーターの釣合おもり枠１のおもり８の積載量を増やすことが可能となり、比重の軽い低コストのおもり８を積載することが可能となる。また、エレベーターの釣合おもり枠１の縦方向の長さを伸ばした場合は、ガイド装置９の上下間隔も大きくすることができ、これにより図示しないエレベーターの釣合おもり枠用ガイドレールのブラケットの間隔を大きくすることが可能となる。
【００１６】
また、昇降路寸法が小さい場合は、たて枠上部３をスライドさせることでエレベーターの釣合おもり枠１を縦方向で縮めて使用することで、従来のようにエレベーターの釣合おもり枠１を再製作することなく使用することが可能となる。
【００１７】
また、エレベーターの釣合おもり枠１に積載されるおもり８は、図３に示すように、幅方向の端部が突出して形成されている。そして、たて枠上部３及びたて枠下部４は、おもり８の端部を遊嵌するように形成されている。
【００１８】
なお、たて枠上部３は、あらかじめ、製作工場でたて枠下部４を覆うように上から被せて作成される。そして、エレベーターの釣合おもり枠１は据付現場まで運搬され、図３に示すように、たて枠上部３をスライドさせることによってたて枠上部３とたて枠下部４との位置調整を行ってから連結ボルト７で固定し、エレベーターの釣合おもり枠１は完成される。
【００１９】
（２）本実施の形態の効果
以上のように本実施の形態のエレベーターの釣合おもり枠１では、たて枠上部３及びたて枠下部４にスライド機構１０を形成するようにしたので、実際の昇降路に適したエレベーターの釣合おもり枠１の高さを構成することができる。
【００２０】
（３）他の実施の形態
なお上述の実施の形態においては、たて枠下部４及びおもり８の脱落を防止する機構を設けない場合について述べたが、本発明はこれに限らず、たて枠下部４及びおもり８の脱落を防止する機構を設けてもよい。図４は、他の実施の形態におけるエレベーターの釣合おもり枠３０の全体構成を示す。エレベーターの釣合おもり枠３０は、おもり用ボルト１１の代わりに、連結棒３１及び連結金具３２が追加されている点で、エレベーターの釣合おもり枠１と異なる。連結棒３１は、エレベーターの釣合おもり枠３０の垂直方向の長さに適合する長さで、おもり８に貫通することでおもり８をエレベーターの釣合おもり枠３０に固定させている。連結金具３２は、エレベーターの釣合おもり枠３０に連結棒３１を固定するための部材で、エレベーターの釣合おもり枠３０に溶接形成されている。連結棒３１は、エレベーターの釣合おもり枠３０の垂直方向の伸縮に伴い伸び縮みするようにしてもよい。
【００２１】
図５は、エレベーターの釣合おもり枠３０の側面図を示す。図５に示すように、たて枠上部３及びたて枠下部４に連結金具３２が取り付けられている。そして、この連結金具３２が連結棒３１の両端を固定することで、たて枠上部３とたて枠下部４とが固定され、たて枠下部４の落下を防止することができる。
【００２２】
以上のように他の実施の形態によれば、エレベーターの釣合おもり枠３０に連結棒３１及び連結金具３２を取り付けるようにしたので、実際の昇降路に適したエレベーターの釣合おもり枠３０の高さを構成させることができるとともに、おもり８及びたて枠下部４の落下を防ぐことができる。
【００２３】
また、エレベーターの釣合おもり枠１及び３０には連結ボルト７と別で荷重のかからないストッパボルトを設けるようにしてもよい。具体的には、ストッパボルト用の穴は、連結ボルト７用の穴（スライド用の固定穴２０）よりも大きく形成される。これにより、連結ボルト７がたて枠下部４及びおもり８を支えている間は、ストッパボルト用の穴は、消耗しない。そして、連結ボルト７に異常が発生してボルトが緩んで、たて枠下部４及びおもり８が脱落しそうになった場合には、ストッパボルトが荷重を支えることができる。
【符号の説明】
【００２４】
１、３０……エレベーターの釣合おもり枠、２……上枠、３……たて枠上部、４……たて枠下部、５……下枠、６……中間つなぎ、７……連結ボルト、８……おもり、９……ガイド装置、１０……スライド機構、１１……おもり用ボルト、２０……スライド用の固定穴、３１……連結棒、３２……連結金具。
【図１】
2018030675.tif 000003
【図２】
2018030675.tif 000004
【図３】
2018030675.tif 000005
【図４】
2018030675.tif 000006
【図５】
2018030675.tif 000007